(57)【特許請求の範囲】
【請求項１】
前面が遊技球を流下させる遊技領域となる遊技盤を備えるとともに、該遊技盤の後方に表示装置及び遊技に係る制御を行う制御装置を設置してなるパチンコ機であって、
前記遊技盤を合成樹脂製とする一方、
前記制御装置の収納ケースの後面に、前記収納ケース内へ風を送り込んで前記制御装置の内部を除熱するためのファンを設置するとともに、
前記収納ケースに、前記ファンにより送り込まれた風を前記収納ケースの上面に形成されたスリットから排出するためのダクト部を形成し、
さらに、前記スリットから排出された風の一部を前記表示装置側へ導くための誘導壁と、前記スリットから排出された風の一部を前記遊技盤の後面側へ導くための風受け部材とを前記スリットの上方へ突出するように夫々設け、前記スリットから排出された風により前記表示装置及び前記遊技盤を除熱することを特徴とするパチンコ機。
【請求項２】
少なくとも表示装置の後面を覆う箱状の支持部材を介して前記表示装置を遊技盤の後方に設置したパチンコ機にあっては、前記表示装置の後面に突起部を設け、支持状態において前記表示装置の後面と前記支持部材との間に隙間を形成するとともに、前記支持部材に、前記隙間と連通する開口を設け、ファンにより生じた風のうち誘導壁がうけた風を、当該開口を介し前記隙間を通過させて前記表示装置に当てるようにしたことを特徴とする請求項１に記載のパチンコ機。
【発明の詳細な説明】
【技術分野】
【０００１】
本発明は、遊技盤や表示装置を除熱するための除熱機構を備えたパチンコ機に関するものである。
【背景技術】
【０００２】
近年、興趣を高めるべく、パチンコ機に備えられる液晶表示装置等の図柄表示装置は大型化しており、たとえば特許文献１に記載されているように、遊技盤全体を透明な合成樹脂により成形し、遊技盤の略全面を表示画面とするような図柄表示装置が取り付けられることもある。
【０００３】
【特許文献１】特開２００４−２５４９０１号公報
【発明の開示】
【発明が解決しようとする課題】
【０００４】
しかしながら、図柄表示装置の大型化に伴い図柄表示装置における発熱量も増大するため、遊技盤が薄く成形されていたりすると当該熱により遊技盤に変形が生じてしまうといった問題が起こる。特に、特許文献１のパチンコ機のように、遊技盤を合成樹脂により成形していると、遊技盤の変形といった問題が顕著であって、実験によると、たとえばアクリル製の遊技盤では、遊技盤の後面が膨張して全体的に１．０ｍｍ〜２．０ｍｍ近くも撓み、遊技釘同士の間隔が狭くなりすぎる等して各種入賞口等への遊技球の入賞が不可能になってしまうといった事態も起こり得ることが判明した。
【０００５】
そこで、本発明は、上記問題に鑑みなされたものであって、図柄表示装置又は遊技盤の温度上昇を抑止して遊技盤の熱変形を防止するための除熱機構を備えたパチンコ機を提供しようとするものである。
【課題を解決するための手段】
【０００６】
上記目的を達成するために、本発明のうち請求項１に記載の発明は、前面が遊技球を流下させる遊技領域となる遊技盤を備えるとともに、該遊技盤の後方に表示装置及び遊技に係る制御を行う制御装置を設置してなるパチンコ機であって、前記遊技盤を合成樹脂製とする一方、前記制御装置の収納ケースの後面に、前記収納ケース内へ風を送り込んで前記制御装置の内部を除熱するためのファンを設置するとともに、前記収納ケースに、前記ファンにより送り込まれた風を前記収納ケースの上面に形成されたスリットから排出するためのダクト部を形成し、さらに、前記スリットから排出された風の一部を前記表示装置側へ導くための誘導壁と、前記スリットから排出された風の一部を前記遊技盤の後面側へ導くための風受け部材とを前記スリットの上方へ突出するように夫々設け、前記スリットから排出された風により前記表示装置及び前記遊技盤を除熱することを特徴とする。
請求項２に記載の発明は、請求項１に記載の発明において、少なくとも表示装置の後面を覆う箱状の支持部材を介して前記表示装置を遊技盤の後方に設置したパチンコ機にあっては、前記表示装置の後面に突起部を設け、支持状態において前記表示装置の後面と前記支持部材との間に隙間を形成するとともに、前記支持部材に、前記隙間と連通する開口を設け、ファンにより生じた風のうち誘導壁がうけた風を、当該開口を介し前記隙間を通過させて前記表示装置に当てるようにしたことを特徴とする。
【発明の効果】
【０００７】
請求項１に記載の発明によれば、制御装置の収納ケースの後面に、収納ケース内へ風を送り込んで制御装置の内部を除熱するためのファンを設置するとともに、収納ケースに、送り込まれた風を収納ケースの上面に形成されたスリットから排出するためのダクト部を形成し、さらに、スリットから排出された風の一部を表示装置側へ導くための誘導壁と、スリットから排出された風の一部を遊技盤の後面側へ導くための風受け部材とをスリットの上方へ突出するように夫々設け、スリットから排出された風により表示装置及び遊技盤を除熱するようにしている。したがって、表示装置の大型化等に伴って表示装置による発熱量が増大したとしても、表示装置の温度上昇、ひいては遊技盤の後方の温度上昇を抑制することができ、遊技盤の熱変形を防止することができる。そのため、従来の木製の遊技盤と比較して熱変形しやすい合成樹脂製等の遊技盤であっても何ら問題なく採用することが可能となるし、従来同様、遊技盤を木製とするにあたっては、従来よりも薄い木板を採用することができ、環境に配慮したパチンコ機とすることができる。
また、ファンの風を利用して制御装置の内部及び遊技盤をも除熱するため、遊技盤の熱変形防止効果を一層高めることができるし、表示装置を除熱するためのファンと制御装置の内部及び遊技盤を除熱するためのファンとを同一のファンとしているため、遊技盤の後方における構成の合理化を図ることができ、部材点数の削減、省スペース化等を実現することができる。
加えて、請求項２に記載の発明によれば、表示装置の後面に突起部を設け、支持状態において表示装置の後面と支持部材との間に隙間を形成するとともに、支持部材に、隙間と連通する開口を設け、ファンにより生じた風のうち誘導壁がうけた風を、当該開口を介し隙間を通過させて表示装置に当てるようにしている。したがって、表示装置を箱状の支持部材により確実に支持した状態で、表示装置を除熱することができる。
【発明を実施するための最良の形態】
【０００８】
以下、本発明の実施形態となるパチンコ機について、図面をもとに説明する。
【０００９】
［実施例１］
実施例１のパチンコ機１について、図１〜４をもとに説明する。
図１は、パチンコ機１の前面を示した説明図である。図２は、遊技盤１０を後方から示した説明図であり、図３は、遊技盤１０を左側方から示した説明図、図４は、遊技盤１０を上方から示した説明図である。
【００１０】
まず、パチンコ機１の全体的な構造について説明する。
パチンコ機１は、パチンコ機１本体を支持する機枠２に、金属製のフレーム状部材であるミドル枠（図示せず）を介して遊技盤１０を設置するとともに、該遊技盤１０の前方を閉塞可能な前扉３を片開き自在に取り付けてなるものである。そして、該前扉３により閉塞される遊技盤１０の前方空間（遊技盤１０の前面）が、遊技球が流下する略円形の遊技領域１１となっている。
【００１１】
遊技領域１１は、円弧状に配設された外レール１２や内レール１３等により囲まれており、当該遊技領域１１へは、外レール１２と内レールとの間に形成される発射通路を介して遊技球を打ち込み可能となっている。また、遊技領域１１には、多数の遊技釘１９、１９・・（図２に示す）、遊技球が通過可能なゲート部材１４、一対の爪片を開閉動作可能に備えたチューリップ式電動役物１５、開閉動作可能な扉部材を有する大入賞装置１６、遊技球が入賞可能な入賞部材１７、１７・・、風車１８等が設置されている。
さらに、遊技領域１１の略中央部には、遊技球を左右へ揺動可能なステージ部材２０が設置されているとともに、当該ステージ部材２０上へ遊技球を導くための誘導部材（図示せず）、及びステージ部材２０の上方に形成される図柄表示領域２２への遊技球の進入を防止する庇部材２１等を組み付けてなるセンター部材が設置されている。
【００１２】
一方、遊技盤１０の下方には、遊技球を発射装置（図示せず）へ供給するための供給皿４、及び該供給皿４から溢れた遊技球を貯留するための貯留皿５が機枠２に対して片開き可能に取り付けられている。また、貯留皿５の近傍には、発射装置を作動させるための発射ハンドル６、音声や効果音による演出を行うためのスピーカ７等が設置されている。
さらに、遊技盤１０の後面には、「０」〜「９」の数字や絵柄等からなる「図柄」を図柄表示領域２２内に表示させるための液晶表示装置（表示装置）４１、遊技に係る制御（たとえば、所謂「大当たり抽選」や液晶表示装置４１における表示制御等）を行う制御装置４２等が後述するような状態で設置されている。
【００１３】
以上のようなパチンコ機１では、遊技者によって発射ハンドル６が回動操作されると、発射装置が作動して遊技球が遊技領域１１内へ打ち込まれる。そして、遊技領域１１を流下する遊技球がチューリップ式電動役物１５へ入賞すると、制御装置４２にて所謂「大当たり抽選」を行い、「大当たり」である場合には、図柄表示領域２２に所定態様の図柄を確定表示した後、大入賞装置１６の扉部材を所定回数にわたって断続的に開成させるといった所謂「大当たり状態」を生起させる。
【００１４】
次に、遊技盤１０及び本発明の要部となる除熱機構について説明する。
遊技盤１０は、透明な合成樹脂（たとえば、アクリル樹脂）により成形された板部材３１と、板部材３１よりも耐熱性を有する合成樹脂（たとえば、ポリカーボネート）により成形された格子状部材３２とからなり、格子状部材３２を、板部材３１の後面側で、遊技領域１１の周囲となる位置に固着して構成されている。
【００１５】
そして、格子状部材３２の後面には、取付部材３３や取付金具３４等を介して液晶表示装置４１が取り付けられている。液晶表示装置４１は、前面に開口を有する箱状の液晶支持部材（支持部材）４１ａに支持されており、その前面開口から図柄表示部を露出させた状態で図柄表示領域２２の後方に位置されている。また、液晶表示装置４１は、その後面が金属板で形成されており、該金属板には更に後方へ突出する突起部４１ｃ、４１ｃが設けられている。そのため、液晶支持部材４１ａによる支持状態において、液晶表示装置４１の後面（金属板）と液晶支持部材４１ａの後面との間に隙間４４が形成されている。さらに、液晶支持部材４１ａの後面上部には、誘導壁４１ｂが後述する制御装置４２のスリット４２ｄ、４２ｄ・・の上方へ突出するように切り起こし形成されて（開口が設けられて）おり、下方から吹き付けられた風を隙間４４内へ導くようになっている。尚、液晶支持部材４１ａには、隙間４４と連通する図示しない複数のスリットも開設されている。
【００１６】
また、液晶支持部材４１ａの上部が固定される取付部材３３の誘導壁４１ｂ上方位置には、スリット４２ｄ、４２ｄの上方を覆うような庇状の風受け部材４７が後方へ突設されている。さらに、当該取付部材３３には、風受け部材４７内と液晶表示装置４１前方の空間４８とを連通する連通路が設けられており、風受け部材４７が受けた風を液晶表示装置４１の前方と板部材３１の後方との間の空間４８へ導くようになっている。
【００１７】
さらに、液晶支持部材４１ａの後面には、遊技に係る制御を行う制御装置４２が設置されている。該制御装置４２は、合成樹脂製の収納ケース内に制御基板４２ａを収納したもので、制御基板４２ａには、ＣＰＵやＲＯＭ等の各種制御素子４２ｂ、４２ｂ・・が搭載されている。
【００１８】
さらにまた、収納ケース内には、制御素子４２ｂ、４２ｂ・・の邪魔とならないようにＬ字状のダクト部４２ｃが設けられている。ダクト部４２ｃは、収納ケースの後面から前方へ突設された一対の壁部により形成されており、該ダクト部４２ｃ内には、複数の放熱フィンを立設してなるヒートシンク４３、４３・・が制御基板４２に固定されており、制御素子４２ｂ、４２ｂ・・が発する熱を吸収するようになっている。また、ダクト部４２ｃの一端は、収納ケースの後面に設置されたファン４５を介して外部と連結されており、ファン４５により外部の空気をダクト部４２ｃ内へ送り込めるようになっている。一方、ダクト部４２ｃの他端は、収納ケースの上面に連結されている。該連結位置には、複数のスリット４２ｄ、４２ｄ・・が開設されており、ダクト部４２ｃ内を通過してきた風を制御装置４２外部へ排出可能としている。尚、ファン４５は、ダクト部４２ｃの一端（スリット４２ｄ、４２ｄ・・から最も遠い位置）にあるヒートシンク４３の後方に設置されており、風を当該ヒートシンク４３に直接吹き付けながらダクト部４２ｃ内へ送り込むようになっている。
【００１９】
以上のように構成される遊技盤１０、液晶表示装置４１、及び制御装置４２における除熱について説明する。
まず、ファン４５を動作させると、ダクト部４２ｃ内へ風が送り込まれる。そして、当該風により、制御素子４２ｂ、４２ｂ・・が発した熱を吸収しているヒートシンク４３、４３・・を除熱し、制御装置４２内の温度上昇が抑制される。
また、ダクト部４２ｃ内へ送り込まれた風は、スリット４２ｄ、４２ｄ・・を介して外部へ排出される。そして、その排出された風の一部を、スリット４２ｄ、４２ｄ・・上方へ突出した誘導壁４１ｂにより隙間４４内へ導くことにより、液晶表示装置４１の金属板を除熱する。尚、隙間４４内へ導かれた風は、図示しないスリットから外部へ液晶支持部材４１ａ外部へ排出される。
さらに、スリット４２ｄ、４２ｄ・・から排出され、誘導壁４１ａに遮られることなく風受け部材４７まで到達した風を、連通路を介して空間４８へ導くことで、板部材３１の後面をも除熱する。
【００２０】
本実施例に係るパチンコ機１によれば、液晶表示装置４１の後面へ風を送り込むことで熱をもちやすい液晶表示装置４１の金属板を除熱可能としているため、遊技盤１０後方の温度上昇を抑制することができ、遊技盤１０の熱による変形等を防止することができる。
また、液晶表示装置４１と遊技盤１０の板部材３１との間の空間へも風を送り込むようになっており、板部材３１の後面をも除熱するようになっているため、遊技盤１０の熱変形防止効果を一層高めることができる。
【００２１】
さらに、制御装置４２内にダクト部４２ｃを形成し、ダクト部４２ｃ内に複数のヒートシンク４３、４３・・を設置するとともに、該ダクト部４２ｃの一端にファン４５を取り付けており、ダクト４２ｃ内に風を送り込むことでヒートシンク４３、４３・・の除熱、すなわち制御装置４２内の温度上昇の抑制を図っている。したがって、遊技盤１０後方の温度上昇をさらに抑制することができ、遊技盤１０の熱変形防止効果の更なる向上を図ることができる上、ヒートシンク４３毎に夫々ファンを設置する必要がなく、１つのファン４５で効果的な除熱を実現可能な極めて合理的な構成とすることができる。
【００２２】
さらにまた、上記ファン４５によりダクト部４２ｃ内へ送り込まれる風を用いて、液晶表示装置４１、及び板部材３１の後面を除熱することができ、遊技盤１０の後面側における更なる構成の合理化を図ることができる。
加えて、このような除熱機構を備えることで、遊技盤１０の板部材３１として、従来の木製の遊技盤と比較すると熱変形しやすいアクリル樹脂製等の遊技盤であっても何ら問題なく採用することが可能となる。
【００２３】
［実施例２］
実施例２のパチンコ機について、図５及び６をもとに説明する。尚、実施例２のパチンコ機は、遊技盤１０’の構成を除いて、実施例１のパチンコ機１と略同様に構成されるものであり、同様に構成される部分についての説明は省略する。また、実施例１に記載のものと同じ構成要素については同符号を付して説明する。
図５は、遊技盤１０’を後方から示した説明図であり、図６は、遊技盤１０’を左側方から示した説明図である。
【００２４】
遊技盤１０’は、遊技盤１０同様、板部材３１の後方に格子状部材３２を固着してなるもので、格子状部材３２の後面には、液晶表示装置４１を支持する液晶支持部材４１ａが取り付けられている。また、液晶支持部材４１ａの後面には、ファン４５を有する制御装置４２が設置されており、ファン４５による制御装置４２内の除熱、及び液晶表示装置４１の除熱は、実施例１のパチンコ機１同様に行われる。
【００２５】
しかしながら、遊技盤１０’は、風受け部材４７の代わりに、第二ファン５１が設置されている点で遊技盤１０と異なっている。第二ファン５１は、制御装置４２の下方で、チューリップ式電動役物１５及び大入賞装置１６の後方となる位置に取り付けられており、板部材３１の後面へ向かって風を吹き付け可能となっている。
そして、当該第二ファン５１を動作させ、板部材３１の後面へ風を吹き付けることで、板部材３１の後面に沿って風を上方（空間４８内）へ導き、板部材３１の後面全体を除熱可能としている。尚、直接風が吹き付けられるチューリップ式電動役物１５及び大入賞装置１６近傍が、最も除熱されることになる。
【００２６】
このように実施例２に記載のパチンコ機によっても、遊技盤１０’の板部材３１後面に風を吹き付ける第二ファン５１を設置しているため、遊技盤１０’を除熱することができ、遊技盤１０’の熱変形等を防止することができる。
また、第二ファン５１を、熱を発しやすいソレノイド等が備えられるチューリップ式電動役物１５や大入賞装置１６の後方に設置しているため、遊技盤１０’の温度上昇をより効果的に抑制することができる。
さらに、遊技盤１０’後面の除熱機構に関しては、既にホール等に設置されているパチンコ機に対して第二ファン５１を後付け設置するだけで構成可能であり、風受け部材４７を設置する実施例１に記載の構成と比較して、汎用性に富む。
【００２７】
なお、本発明のパチンコ機に係る構成は、上記実施形態に記載の態様に何ら限定されるものではなく、制御装置、液晶表示装置、及び遊技盤の除熱機構に係る構成について、本発明の趣旨を逸脱しない範囲で必要に応じて適宜変更可能である。
【００２８】
たとえば、第二ファンの設置位置を制御装置の上方位置とし、実施例１に記載のものと同様の空気の流れにより、液晶表示装置及び遊技盤を除熱するような構成としてもよく、その際、誘導壁も必要がなければ設けなくてもよい。また、液晶表示装置を除熱するためのファンと遊技盤を除熱するためのファンとを別個設けるようにしてもよいし、制御装置内に備えるヒートシンク毎にファンを設置するようにしてもよい（すなわち、ファンの種類・数は限定されない）。さらに、ファンの風を直接遊技盤や液晶表示装置にあてて、遊技盤や冷却表示装置を除熱するように構成する（すなわち、連通路や隙間等を介さない構成とする）ことも可能である。
さらにまた、ヒートシンク毎にファンを設置するような場合には、制御装置内にダクト部を設けなくともよい。
またさらに、上記実施形態では、遊技盤としてアクリル樹脂を採用しているが、他の合成樹脂を採用しても何ら問題はない。しかしながら、アクリル樹脂を採用した方が、たとえばポリカーボネートを採用した場合と比較すると、加工性において優れており、製造コストを安価に抑えることができるというメリットがある。
加えて、上記実施形態に記載の除熱機構は、木製の遊技盤等に対しても適用可能であり、当該除熱機構を備えることで、従来よりも薄い木板を採用することができ、環境に配慮したパチンコ機とすることができる。
【図面の簡単な説明】
【００２９】
【図１】パチンコ機の前面を示した説明図である。
【図２】実施例１の遊技盤を後方から示した説明図である。
【図３】実施例１の遊技盤を左側方から示した説明図である。
【図４】実施例１の遊技盤を上方から示した説明図である。
【図５】実施例２の遊技盤を後方から示した説明図である。
【図６】実施例２の遊技盤を左側方から示した説明図である。
【符号の説明】
【００３０】
１・・パチンコ機、１０、１０’・・遊技盤、３１・・板部材、３２・・格子状部材、４１・・液晶表示装置、４１ａ・・液晶支持部材、４１ｂ・・誘導壁、４２・・制御装置、４２ａ・・制御基板、４２ｂ・・制御素子、４２ｃ・・ダクト部、４２ｄ・・スリット、４３・・ヒートシンク、４４・・隙間、４５・・ファン、４７・・風受け部材、４８・・空間、５１・・第二ファン。
【図１】
0005419118.tif 000002
【図２】
0005419118.tif 000003
【図３】
0005419118.tif 000004
【図４】
0005419118.tif 000005
【図５】
0005419118.tif 000006
【図６】
0005419118.tif 000007